(57)【特許請求の範囲】
【請求項１】
断面略矩形の中空部を有する４つのコーナ部材（１１）と、該コーナ部材の向かい合う側面間に配される外枠部材（１２）と、向かい合う一対の外枠部材の間に並設されたデッキ部材（１３）とを備えたパレットにおいて、前記コーナ部材の中空部が、複数の三角で仕切られており、前記コーナ部材の側面（２３）に溝（２１）が設けられ、前記コーナ部材の前記側面に沿って配される断面チャンネル状の支持部材（２４）を備え、該支持部材は、前記側面に対接する支持折縁（２５ａ）と、該支持折縁の端部に形成された係止片（２５ｂ）とを備え、前記支持部材は前記係止片が前記溝内に係合、固着され、前記支持部材上に前記外枠部材の端部が固着されていることを特徴とする、パレット。
【請求項２】
コーナ部材（１１）が外隅と内隅とを結ぶ補強部（２０）を有し、中空部が補強部により２つの三角形に仕切られている請求項１に記載のパレット。
【請求項３】
コーナ部材（１１）が外隅と内隅とを結ぶ補強部（２０）を有し、コーナ部材（１１）の一方の側隅（１９）と補強部（２０）とを別の補強部（３０′）で結合し、中空部を３つの三角形に仕切っている請求項１に記載のパレット。
【請求項４】
コーナ部材（１１）の側隅（１９，１９）間を第２の補強部（３０）で結合し、さらに、内隅（１８）又は外隅から延在する別の補強部（２０′又は２０″）を第２の補強部（３０）に結合させ、中空部を３つの三角形に仕切る請求項１に記載のパレット。
【請求項５】
外枠部材（１２）がデッキ部材（１３）の端部を受ける段部（２８）を有する請求項１乃至４のいずれかに記載のパレット。
【発明の詳細な説明】
【０００１】
【発明の属する技術分野】
本発明は、パレットに関し、特に詳述すれば、改良されたコーナ部材を用いたパレットに関する。
【０００２】
【従来の技術】
品物を積み、荷役、運搬、貯蔵するために利用されるパレットは、フォークの挿入、クレーン荷役に適した形状に組み立てられ、木製、アルミ合金製、プラスチック製、或いはスチール製のものが普及している。
パレットの構成は、特開２００１−２７８２６９号公報に示されるが、その公知例を図１２に示す。
【０００３】
パレット１は、４個のコーナ部材２、対向側面を結合する対の外枠部材３と、一方の対の離間対向する外枠部材３間に並設されかつ他方の外枠部材と平行なデッキ部材４とから構成される。
アルミ合金製のパレット１の場合、外枠部材３とデッキ部材４は、中空の平板状の押出形材が用いられ、コーナ部材２は、断面矩形にして、その内部に十字状の補強部材５が一体に形成された押出形材が用いられる。
【０００４】
コーナ部材２には、外枠部材３を受ける支持片６を一体に有し、デッキ部材４と直交する形に配される外枠部材３には、デッキ部材４の端部を受ける支持縁７が一体に形成されている。
外枠部材３の端部は、コーナ部材２の支持片６に溶接され、デッキ部材４の端部は外枠部材３の支持縁７に溶接される。
【０００５】
デッキ部材４の上に品物が積まれ、フォークリフトのフォークがデッキ部材４の長手方向に直交する形で、デッキ部材４の下方に挿入され、パレット１の移動がなされる。
【０００６】
【発明が解決しようとする課題】
前述した公知パレットのコーナ部材は、外枠部材の長手方向に沿う補強部を有するが、これは、外力が外枠部材の長手方向に沿う形で作用したとき補強部がこの外力を圧縮荷重として受けるので高強度を維持できる。
しかし、コーナ部材が工場の壁や硬い物に衝突したり、パレットが落下してコーナ部材が床に強く衝突したときのように、衝撃力が加わったときの耐衝撃特性に問題を有する。
【０００７】
このため、衝撃力がコーナ部材に作用すると、コーナ部材が変形し、パレット自身の強度劣化を招く。又、コーナ部材の変形によるパレット全体への破損の原因ともなっている。
それ故、本発明は前述した従来技術の不具合を解消させることを解決すべき課題とする。
【０００８】
【課題を解決するための手段】
本発明は、前述した従来技術の不具合を解消させることを解決すべき課題とする。
本発明は、前述した課題を解決するために、基本的には、コーナ部材の外隅と内隅とを結ぶ補強部を用い、コーナ部材の中空部を複数の三角形で仕切る技術手段を用いる。
【０００９】
この手段の採用は、荷を積んだパレットの移動時に予期しない外力に伴う衝撃や対象物との衝突からコーナ部材の外隅を保護し、特にこの部分へ作用する外力に対して圧縮荷重として受け、外枠部材の長手方向に沿う外力に対しては断面が三角形、好ましくは直角三角形の仕切り空間をもつ補強部で受けるが剛性が高いので、コーナ部材を大きく変形させることはない。
【００１０】
本発明によれば、４つのコーナ部材１１と、コーナ部材の向かい合う側面間に配された外枠部材１２と、対の外枠部材間に並設されたデッキ部材１３とを有し、コーナ部材が断面略矩形の中空部を有し、該中空部が複数の三角形、好ましくは直角三角形で仕切られていることを特徴とするパレットが提供される。
【００１１】
【発明の実施の形態】
図１を参照する。本発明の一例のアルミ合金材からなるパレット１０は、４個のコーナ部材１１と、コーナ部材１１の向かい合う側面間を連絡する４枚の外枠部材１２と、一組の向かい合う外枠部材１２を連結しかつ残りの組の外枠部材１２と平行に離間して並設されるデッキ部材１３と、各外枠部材１２の中央部に固定された中央ブロック１４を有する。また、コーナ部材１１の側面２３には支持部材２４を配設している。
【００１２】
図２に示す例は、コーナ部材１１の下面側を下外枠部材１５により結合したパレット１０で、片面使用形である。図３に示す本発明の第３実施例では、図２に示す例に下デッキ部材１６を追加し、両面使用形としたものである。
図１乃至３に示されるパレット１０は本発明に属し、又、図示しないパレットや台車に本発明は適用される。
【００１３】
図４に、支持部材２４を添設したコーナ部材１１と中央ブロック１４との配置関係を示す。コーナ部材１１は、方形の四隅に配されかつ中央ブロック１４がコーナ部材１１の間に位置する。
コーナ部材１１の一例を図５に示す。パレット１０の４隅で上下方向に延びたコーナ部材１１は断面方形の中空部材からなり、その外隅１７のエッヂ部分は好ましくは円弧面となっている。内隅１８は外枠部材１２の内側縁が当接する部分であり、側隅１９には外枠部材１２の外側縁が当接する。
【００１４】
コーナ部材１１の外隅１７と内隅１８とをプレート状の補強部２０で結合する。この結果、コーナ部材１１の中空部は、補強仕切り壁部により三角形、好ましくは直角三角形状に二分されることになる。外隅１７に作用する外力は補強部２０に圧縮荷重として作用するので、パレット１０の落下や衝撃、衝突に対して高強度を示す。コーナ部材１１の側面２３、即ち外枠部材１２の端面が設置される側の面に、長手方向に延在する対の溝２１と突片２２とを形成する。突片２２は溝２１の開口部を略半分覆い、溝２１の内部を略Ｌ形の空間とさせる。
【００１５】
コーナ部材１１の側面２３に固定される支持部材２４は、断面チャンネル状でコーナ部材１１の側面２３に対接する支持折縁２５ａを有し、その向かい合う開口縁にはＬ形、Ｔ形等の係止部付きの係止片２５ｂが屈折状に形成されている。前記支持折縁２５ａからつながる係止片２５ｂまでＺ字状に折曲げた形状であり、係止片２５ｂを溝２１内に挿入及び支持折縁２５ａを側面２３に添設して係止し、支持部材２４をコーナ部材１１の側面２３に確実に係止した状態で嵌着状に取付られる。これに好ましくは両者を溶接すると更に強固な固定となる。支持部材２４の高さは、図１の例では、外枠部材１２の厚みの部分だけコーナ部材１１より低くし、図２と図３の例では、上下の外枠部材１２、１５の二枚分の厚みだけコーナ部材より低くして、外枠部材１２、１５と支持部材２４との高さがコーナ部材１１と同じ高さとする。支持部材２４をコーナ部材１１の側面２３へ溶接した場合には、側面２３の壁部材の強度をさらに高める。
【００１６】
図６に外枠部材１２の断面を示す。外枠部材１２は、中央部に上下方向に延在する積載補強用の壁部２６を有する断面日字形の方形の中空体であり、その内方の一側面２７の下部に段部２８が形成されている。段部２８はデッキ部材１３の端部を載置又は高さ位置決め用の受けであり、これを溶接するに適した大きさを有する。
外枠部材１２が支持部材２４の上面又は下面に着座し、かつデッキ部材１３が段部２８に保持されたとき、コーナ部材１１の上面又は下面が、外枠部材１２、デッキ部材１３は同一平面を形成する。
【００１７】
図７にデッキ部材１３の断面を示す。デッキ部材１３は断面日字形の方形の中空体より形成され、その中央部に補強用の結合壁部２９を有す。
次に、コーナ部材１１の変形断面例を図８乃至１１に示す。図８に示す例は、図５に示す例と同じであるが、溝２１に装着する支持部材２４の詳細な構成の図示を省略している。以下に示す他の例も同様に支持部材の詳細な構成の図示は省略されている。
【００１８】
図９に示す例は、外隅１７と内隅１８とを補強部２０で結合し、さらに補強部２０と一方の側隅１９とを別の補強部３０′により結合し、中空部を大小３個の三角形、好ましくは直角三角形で仕切ったものである。補強部３０′を他の側隅１９へと延在させても良い。
図１０に示す例は、第２の補強部３０により対の側隅１９を結合し、さらに、外隅１７からの補強部２０′を第２の補強部３０に結合させ、コーナ部材１１の中空部を大小３個の三角形、好ましくは直角三角形で仕切ったものである。
図１１に示す例は、側隅１９を結合する第２の補強部３０に内隅１８から延在する補強部２０″を結合し、コーナ部材１１の中空部を大小３個の三角形、好ましくは直角三角形で仕切ったものである。
【００１９】
図示例から明らかなように、コーナ部材１１の中空部は２個又は大小３個の三角形、好ましくは直角三角形により仕切られ、内隅又は外隅から延在する補強部を有す。この補強部で結合する三角形のコーナ部材は自体の強度を高め、パレットの落下やパレットへの荷積載時、パレットの移動時の衝撃及び衝突に対してパレットの変形を防止するのに有効である。
【図面の簡単な説明】
【図１】本発明の第１実施例の斜視図である。
【図２】本発明の第２実施例の斜視図である。
【図３】本発明の第３実施例の斜視図である。
【図４】コーナ部材の配置を示す平面図である。
【図５】コーナ部材の断面図である。
【図６】外枠部材の断面図である。
【図７】デッキ部材の断面図である。
【図８】図５に示すコーナ部材の断面図である。
【図９】コーナ部材の別の変形例を示す断面図である。
【図１０】コーナ部材の他の変形例を示す断面図である。
【図１１】コーナ部材のさらに別の変形例を示す断面図である。
【図１２】コーナ部材の従来例を示す斜視図である。
【符号の説明】
１０    パレット
１１    コーナ部材
１２，１５    外枠部材
１３，１６    デッキ部材
１７    外隅
１８    内隅
１９    側隅
２０，２０′，２０″    補強部
２１    溝
２４    支持部材
２５ａ    支持折縁
２５ｂ    係止片
２８    段部
３０，３０′    第２の補強部
【図１】
0003978352.tif 000002
【図２】
0003978352.tif 000003
【図３】
0003978352.tif 000004
【図４】
0003978352.tif 000005
【図５】
0003978352.tif 000006
【図６】
0003978352.tif 000007
【図７】
0003978352.tif 000008
【図８】
0003978352.tif 000009
【図９】
0003978352.tif 000010
【図１０】
0003978352.tif 000011
【図１１】
0003978352.tif 000012
【図１２】
0003978352.tif 000013